(57)【要約】【課題】本発明は、画像読取装置の小型化を図ることができると共に、原稿１枚あたりの処理速度を速くすることが可能となる画像読取装置を提供する。【解決手段】ＣＰＵ１００が、印字開始時間になる前に印字情報生成部１０２が印字情報を生成したときは、原稿９０の搬送を停止することなくそのまま順送して印字開始位置から印字を開始する。一方、既に印字開始時間を経過していたときは、ＣＰＵ１００は原稿９０の搬送を停止し、原稿９０を逆送させながら印字情報を左右反転させて印字する。【選択図】図４
2007265181.tif 000002
【特許請求の範囲】
【請求項１】
シート材を搬送方向に搬送しながら前記シート材に形成された画像を読み取る画像読取手段と、前記シート材に付随している付随情報を読み取る付随情報読取手段と、前記読み取られた付随情報に基づいて印字情報を生成する印字情報生成手段と、前記生成された印字情報を前記シート材に印字する印字手段とを有する画像読取装置であって、
前記搬送されているシート材の有無を検出する第１の検出手段と、
前記第１の検出手段と前記印字手段との間の距離、前記シート材の先端から前記印字情報の印字開始位置までの距離、及び前記シート材の搬送速度に基づいて、前記シート材に前記印字情報を印字する印字開始時間を算出する算出手段と、
前記算出された印字開始時間が前記印字情報が生成された時点で経過しているか否かを判別する判別手段と制御手段とを備え、
前記制御手段は、前記算出された印字開始時間が既に経過していたときは、前記シート材の搬送を停止し、前記搬送方向とは逆に搬送しながら前記シート材に前記印字情報を印字するよう制御することを特徴とする画像読取装置。
【請求項２】
前記第１の検出手段と前記付随情報読取手段との間の距離と前記搬送速度に基づいて、前記付随情報を読み取るよう制御することを特徴とする請求項１記載の画像読取装置。
【請求項３】
前記印字手段に対して搬送方向下流側に前記シート材の有無を検出する第２の検出手段を更に備え、搬送方向とは逆に搬送しながら前記印字手を用いて前記第１の検出手段または前記第２の検出手段から出力された検出信号に基づいて前記シート材への印字を行った後、搬送方向に搬送しながら前記画像読取手段を用いて前記第２の検出手段から出力された検出信号に基づいて前記シート部材に形成された画像を読み取るよう制御することを特徴とする請求項１又は２記載の画像読取装置。
【請求項４】
前記シート材を搬送方向に搬送しながら印字する場合は、前記第１の検出手段が前記シート材の先端を検出した検出信号に基づいて印字するように制御し、前記シート材を搬送方向とは逆に搬送しながら印字する場合は、前記第２の検出手段が前記シート材の後端を検出した検出信号に基づいて印字するように制御することを特徴とする請求項３記載の画像読取装置。
【請求項５】
前記算出手段は、前記印字手段と前記第２の検出手段との間の距離、前記シート材の長さ、前記シート材の先端から前記印字情報の印字開始位置までの距離、及び前記印字情報の印字区間に基づいて、前記搬送方向とは逆に搬送しながら前記シート材に前記印字情報を印字するための他の印字開始時間を算出し、前記制御手段は、前記生成された印字情報を左右反転させ、左右反転させた印字情報を前記他の印字開始時間で前記シート材に印字させることを特徴とする請求項４記載の画像読取装置。
【請求項６】
前記第２の検出手段は、前記画像読取手段に対して前記搬送方向の上流側で、且つ前記印字手段に対して前記搬送方向の下流側に配置されていることを特徴とする請求項３乃至５のいずれか１項に記載の画像読取装置。
【発明の詳細な説明】
【技術分野】
【０００１】
本発明は、画像読取装置に関し、特に、原稿載置台に載置された複数の原稿を自動給送し、原稿上の情報を読み取り、読み取った情報に応じた情報を原稿に印字することが可能な画像読取装置に関する。
【背景技術】
【０００２】
従来、小切手上の画像を読み取る機能の他に、小切手に磁気インクにより印刷されたＭＩＣＲ文字を磁気的に読み取り、読み取ったＭＩＣＲ文字の情報（以下「ＭＩＣＲ文字情報」と呼ぶ。）に応じた情報を当該小切手に印字（又は印刷）する機能が付加されたチェックスキャナがある（例えば、特許文献１参照）。ＭＩＣＲ文字は、図９（ａ）に示すように、小切手表面の下部に印刷されており、ＭＩＣＲ文字の読み取りには一般的に磁気ヘッド等が用いられる。
【０００３】
このようなチェックスキャナでは、小切手上に印刷されているＭＩＣＲ文字を読み取る際に、装置内を搬送される小切手の一端の通過をレジストセンサにより検出し、検出した時間から小切手上のＭＩＣＲ文字の読み取りタイミングを算出している。そして、チェックスキャナは、算出されたタイミングに基づいて磁気ヘッドによるＭＩＣＲ文字の読み取りを開始し、読み取りが完了するまで小切手を定常速度で搬送する。
【０００４】
チェックスキャナは、一般的に、パーソナルコンピュータ（以下「ＰＣ」と呼ぶ。）などに接続されて使用される。ＰＣは、チェックスキャナが読み取ったＭＩＣＲ文字情報を受信して解析を行い、解析結果として銀行名や支店名等の印字情報をチェックスキャナに送信する。そして、チェックスキャナは、図９（ｂ）に示すように、受信した印字情報を小切手の裏面の印字領域に印字する。その後、チェックスキャナは、更に小切手を下流に搬送させ、印字ヘッドより下流に配置されている画像読取ユニットで小切手の表面の画像読み取りと印字情報が印字された裏面の画像読み取りを行う。
【特許文献１】特開平０８−２９７７８０号公報
【発明の開示】
【発明が解決しようとする課題】
【０００５】
しかしながら、上述したチェックスキャナがＰＣから送信された印字情報を受信するまで時間を要する場合、小切手の搬送をそのまま続けていると、小切手に印字すべき印字情報の印字開始位置が印字ヘッドに到達してしまう恐れがある。そのため、小切手が磁気ヘッドを通過してから印字ヘッドに到達するまでに当該小切手の搬送を停止し、印字情報を取得するまで待機する必要がある。
【０００６】
一方、小切手上の全てのＭＩＣＲ文字の読取中は当該小切手を搬送し続けなければならないことから、図１０（ａ）に示すように、磁気ヘッドと印字ヘッドとの間の距離が小切手１枚分の長さ以上必要となり、チェックスキャナが大型化してしまうという問題がある。
【０００７】
そこで、小切手の先端を、印字開始位置のタイミングが算出できるレジストセンサの位置まで一旦逆方向に搬送し、再度正方向に搬送して印字する構成であれば、図１０（ｂ）に示すように、磁気ヘッドと印字ヘッドとの間の距離を短くすることができ、チェックスキャナの小型化を図ることができる。
【０００８】
しかしながら、一般的に、印字開始タイミング及びＭＩＣＲ文字の読取開始タイミングは同じレジストセンサによって算出されるので、レジストセンサと印字ヘッドとの間に磁気ヘッドが配置されることになる。その結果、本来ならば、印字ヘッドの直前まで小切手の先端を戻せばよいものを、図１１（ａ）に示すようにレジストセンサの手前の位置まで戻すことになるので、小切手１枚の処理に多くの時間を要する。
【０００９】
一方、図１１（ｂ）に示すように、別途、印字開始タイミングを算出するために印字ヘッドの直前にレジストセンサを追加して設けた場合、小切手を印字ヘッドの直前のレジストセンサまで戻せばよいが、コスト面で不利である。
【００１０】
本発明は、上記問題に鑑みて成されたものであり、画像読取装置の小型化を図ることができると共に、原稿１枚あたりの処理速度を速くすることが可能となる画像読取装置を提供することを目的とする。
【課題を解決するための手段】
【００１１】
上記目的を達成するために、請求項１記載の画像読取装置は、シート材を搬送方向に搬送しながら前記シート材に形成された画像を読み取る画像読取手段と、前記シート材に付随している付随情報を読み取る付随情報読取手段と、前記読み取られた付随情報に基づいて印字情報を生成する印字情報生成手段と、前記生成された印字情報を前記シート材に印字する印字手段とを有する画像読取装置であって、前記搬送されているシート材の有無を検出する第１の検出手段と、前記第１の検出手段と前記印字手段との間の距離、前記シート材の先端から前記印字情報の印字開始位置までの距離、及び前記シート材の搬送速度に基づいて、前記シート材に前記印字情報を印字する印字開始時間を算出する算出手段と、前記算出された印字開始時間が前記印字情報が生成された時点で経過しているか否かを判別する判別手段と制御手段とを備え、前記制御手段は、前記算出された印字開始時間が既に経過していたときは、前記シート材の搬送を停止し、前記搬送方向とは逆に搬送しながら前記シート材に前記印字情報を印字するよう制御することを特徴とする。
【発明の効果】
【００１２】
本発明によれば、搬送されているシート材の有無を第１の検出手段により検出し、第１の検出手段と印字手段との間の距離、シート材の先端から印字情報の印字開始位置までの距離、及びシート材の搬送速度に基づいて、シート材に印字情報を印字する印字開始時間を算出する。算出された印字開始時間が印字情報が生成された時点で経過しているか否かを判別する。そして、算出された印字開始時間が既に経過していたときは、シート材の搬送を停止し、搬送方向とは逆に搬送しながらシート材に印字情報を印字するよう制御する。これにより、付随情報読取手段と印字手段との間にシート材を留めておくための区間を設けることなく、また、一旦シート材を反対方向に搬送させたとしても、当該シート材の先端を印字開始時期が算出できる位置まで搬送する必要が無いので、画像読取装置の小型化を図ることができると共に、原稿１枚あたりの処理速度を速くすることが可能となる。
【発明を実施するための最良の形態】
【００１３】
以下、本発明の実施の形態を図面を参照して詳細に説明する。
【００１４】
図１は、本発明の実施の形態に係る画像読取装置の外観を示す斜視図である。
【００１５】
図１において、画像読取装置１はチェックスキャナであり、図９（ａ）及び図９（ｂ）に示すような小切手（以下「原稿」と呼ぶ。）９０（シート材）に付随している付随情報を読み取ることができる。原稿９０の表面の下部には、図９（ａ）に示すように、付随情報として複数のＭＩＣＲ文字で構成されたＭＩＣＲ文字列９１が磁気インクで印刷されている。
【００１６】
画像読取装置１には、複数枚の原稿９０を載置することが可能な原稿載置部２と、原稿載置部２に載置された複数枚の原稿９０を１枚ずつ読取部へ搬送するための搬送路３とが設けられている。
【００１７】
図２は、図１の画像読取装置１の概略構成を示す図である。
【００１８】
図２において、画像読取装置１は、原稿９０を搬送するための搬送路３に沿って、１対の搬送ローラ対４と、第１のレジストセンサ５と、磁気ヘッド６と、印字ヘッド７と、第２のレジストセンサ８と、読取センサ９と、１対の搬送ローラ対１０とを備える。また、画像読取装置１は、不図示の制御部や操作部、表示部等を備える。
【００１９】
原稿載置部２に載置された複数の原稿９０は、不図示の分離ローラによって１枚ずつに分離され、搬送ローラ対４によって搬送路３上を搬送される。第１のレジストセンサ５及び第２のレジストセンサ８はそれぞれ、搬送路３上を搬送される原稿９０を検出する。磁気ヘッド６は、原稿９０の表面に印刷されているＭＩＣＲ文字列９１の読み取りを行う。印字ヘッド７は、読み取られたＭＩＣＲ文字列９１に基づいて生成された印字情報を、図９（ｂ）に示すように、原稿９０の裏面の所定位置に印字する。読取センサ９は、原稿９０が第２のレジストセンサ８を通過するタイミングを基に当該原稿９０の表面の画像を読み取る。なお、印字ヘッドは表面側に設けてもよい。また読取センサを裏側に設けるか、または両面に設けてもよい。
【００２０】
図３は、画像読取装置１における制御系の概略構成を示すブロック図である。
【００２１】
図３において、画像読取装置１は、ＣＰＵ１００と、ＭＩＣＲ情報読取部１０１と、印字情報生成部１０２と、印字部１０３と、画像情報読取部１０４と、外部のパーソナルコンピュータ（以下、単に「ＰＣ」という。）１０６に接続するインターフェース）Ｉ／Ｆ１０５と、原稿検出部１０７と、これら各部を互いに接続するバス１０８とを備える。
【００２２】
ＭＩＣＲ情報読取部１０１は磁気ヘッド６に接続されている。印字部１０３は印字ヘッド７に接続されている。画像情報読取部１０４は読取センサ９に接続されている。原稿検出部１０７は、第１のレジストセンサ５及び第２のレジストセンサ８に接続されている。なお、ＭＩＣＲ情報読取部１０１が磁気ヘッド６と、印字部１０３が印字ヘッド７と、画像情報読取部１０４が読取センサ９とそれぞれ一体に構成されていてもよい。
【００２３】
ＭＩＣＲ情報読取部１０１は、磁気ヘッド６が原稿９０上のＭＩＣＲ文字列９１を読み取って出力した読取信号からＭＩＣＲ文字列９１の情報（ＭＩＣＲ文字情報）を得る。印字情報生成部１０２は、得られたＭＩＣＲ文字情報に基づいて印字情報を生成する。この印字情報の生成には、ＰＣ１０６が一般的に用いられ、本発明の範囲にも含まれているが、本実施の形態のように画像読取装置本体に内蔵された印字情報生成部１０２が用いられてもよい。
【００２４】
印字部１０３は、生成された印字情報を印字ヘッド７を用いて原稿９０に印字する。ＣＰＵ１００は、ＭＩＣＲ情報読取部１０１、印字情報生成部１０２、及び印字部１０３に対して指令及び情報の送受信を行い、これらを制御する。また、ＣＰＵ１００は、読取センサ９が出力する画像読取信号を用いて画像情報読取部１０４が生成した画像データの送信や記憶の制御をも行う。
【００２５】
次に、画像読取装置１における原稿９０の画像読取及び印字動作について図４〜図８を参照して説明する。
【００２６】
図４は、画像読取装置１における画像読取及び印字動作の流れを示すフローチャートである。
【００２７】
図４において、まず、原稿９０の裏面に印字すべき印字情報の印字開始位置をユーザが指定した位置に設定する（ステップＳ３００）。例えば、ユーザが原稿９０の搬送方向側の先端から設定距離ｋを印字開始位置として設定する。
【００２８】
次に、ステップＳ３０１にて、原稿載置部２に載置されている原稿９０を１枚ずつ搬送路３上へ送りだし、原稿９０の表面に印刷されているＭＩＣＲ文字列９１の読み取りを行う。このとき、ＣＰＵ１００は、搬送される原稿９０の先端の通過を第１のレジストセンサ５により検出し、第１のレジストセンサ５と磁気ヘッド６との間の距離と原稿９０の搬送速度に基づいて、原稿９０上のＭＩＣＲ文字列９１の読取りタイミングを算出する。
【００２９】
図５（ａ）に示すように、第１のレジストセンサ５と磁気ヘッド６（の読取位置）との間の距離がＬ１、原稿９０の搬送速度がｖとすると、第１のレジストセンサ５が原稿９０の先端を検出してからＬ１／ｖ時間後に原稿９０の先端が磁気ヘッド６に到達することになる（図５（ｂ）参照）。そのため、ＣＰＵ１００は、第１のレジストセンサ５が原稿９０の先端を検出してからＬ１／ｖ時間後に磁気ヘッド６が原稿９０上のＭＩＣＲ文字列９１の読み取りを開始するように、ＭＩＣＲ情報読取部１０１に対して読取りタイミングの指令を行う。ＭＩＣＲ情報読取部１０１は、ＣＰＵ１００からの指令に基づいて磁気ヘッド６にＭＩＣＲ文字例９１を読み取らせる。
【００３０】
ＭＩＣＲ情報読取部１０１は、磁気ヘッド６が原稿９０上のＭＩＣＲ文字列９１を読み取って出力した読取信号からＭＩＣＲ文字情報を得る。ＣＰＵ１００は、ＭＩＣＲ情報読取部１０１からＭＩＣＲ文字情報を取得し、印字情報生成部１０２に送る。印字情報生成部１０２は、ＭＩＣＲ文字情報（原稿付随情報）に基づいて印字情報を生成する（ステップＳ３０２）。なお、印字情報は、上述したように、ＰＣ１０６と接続されている場合にはＰＣ１０６により生成されてもよい。
【００３１】
次に、ステップＳ３０３では、ＣＰＵ１００は、第１のレジストセンサ５と印字ヘッド７との間の距離と原稿９０の搬送速度に基づいて、ステップＳ３０２で生成された印字情報の印字開始タイミングを算出し、印字開始時間が既に経過しているか否か、すなわち印字情報を印字すべき原稿９０上の印字開始位置が印字ヘッド７（の印字位置）を既に通過しているか否かを判別する。
【００３２】
例えば、図６（ａ）に示すように、第１のレジストセンサ５と印字ヘッド７（の印字位置）との間の距離がＬ２、原稿９０の搬送速度がｖとする。ここで、図６（ｂ）に示すように、印字開始位置が原稿９０の先端からｋ離れた位置にある場合、ＣＰＵ１００は印字部１０３に対して印字開始を指示する時間を、第１のレジストセンサ５が原稿９０の先端を検出してから（Ｌ２＋ｋ）／ｖ時間後として算出する。
【００３３】
そして、第１のレジストセンサ５が原稿９０の先端を検出してから（Ｌ２＋ｋ）／ｖ時間後の印字開始時間になる前に、印字情報生成部１０２が印字情報を生成できたときは（ステップＳ３０３でＮＯ）、ＣＰＵ１００は原稿９０の搬送を停止することなくそのまま順送して、先端検知から（Ｌ２＋ｋ）／ｖ時間後に到達する印字開始位置において印字を開始するように印字部１０３に指示して印字を行わせる（ステップＳ３０７）。
【００３４】
一方、印字情報生成部１０２が印字情報を生成し終わったときに、既に印字開始時間を経過していた場合は（ステップＳ３０３でＹＥＳ）、ＣＰＵ１００は原稿９０の搬送を停止することなく継続する。そして、図７（ａ）に示すように、第２のレジストセンサ８が原稿９０の後端を検出した後、所定のタイミングまたは任意のタイミングで原稿９０の搬送を停止し、その位置で印字情報の生成が完了するまで待機させる（ステップＳ３０４）。このとき、ＣＰＵ１００は、原稿９０の先端が第２のレジストセンサ８を通過してから原稿９０の後端を第２のレジストセンサ８が検出するまでの時間を計測し、原稿９０自体の長さＤを算出する。なお、長さＤの算出には第１のレジストセンサ５を利用してもよい。また、原稿９０の搬送停止位置は、当該停止位置を正確に制御することができ、かつ印字領域（印字情報が印字される範囲：印字開始位置〜印字終了位置）が決められている場合は、第２のレジストセンサ８が原稿９０の後端を検出した位置でなくてもよく、印字領域の末端（印字情報の印字終了位置）を過ぎた位置であればよく、本発明の範囲に含まれる。しかしながら、制御を粗くできる点で本実施の形態を採用することが好適である。
【００３５】
次に、停止していた原稿９０を搬送ローラ対１０を駆動して逆方向に搬送させながら印字を行う（ステップＳ３０５）。ここでは、ＣＰＵ１００は、印字情報生成部１０２が生成した印字情報に基づいて印字を開始してから印字を終了するまでの印字区間ΔＩを算出する。また、ＣＰＵ１００は、原稿９０を逆送させたときに原稿９０の後端が第２のレジストセンサ８を通過してから印字ヘッド７に到達するまでの時間を、第２のレジストセンサ８と印字ヘッド７（の印字位置）との間の距離Ｌ３と原稿９０の搬送速度ｖに基づいてＬ３／ｖ時間後として算出する。
【００３６】
また、ＣＰＵ１００は、生成された印字情報の印字の順番を後端から印字できるように変更して印字部１０３に送る。例えば、印字情報として『○×△Ｂａｎｋ』と印字する場合、正方向に原稿９０が搬送（順送）されているときは、図８（ａ）に示すように、印字情報の左端から『○』『×』『△』『Ｂ』『ａ』『ｎ』『ｋ』という順に印字させる。
【００３７】
一方、正方向と反対方向に原稿９０が搬送（逆送）されるとき、『○×△Ｂａｎｋ』と印字するためには、図８（ｂ）に示すように、各文字を左右反転させた状態、すなわち『ｋ』『ｎ』『ａ』『Ｂ』『△』『×』『○』という順番に変更する。印字ヘッド７が１ラインのみ印字することが可能である場合は、文字自体も左右反転させておく。
【００３８】
ステップＳ３０４で原稿９０の搬送が停止した後、ＣＰＵ１００が印字情報生成部１０２から印字情報を取得したときは、原稿９０を逆送させて、図７（ｂ）に示すように、原稿９０の後端が第２のレジストセンサ８を通過してから（Ｌ３＋Ｄ−ｋ−ΔＩ）／ｖ時間後、つまり印字情報の末尾の文字（例えば、『○×△Ｂａｎｋ』における『ｋ』の文字）の印字されるべき位置が印字ヘッド７（の印字位置）に到達したときに、印字部１０３に印字の開始を指示する。
【００３９】
印字の開始を指示したＣＰＵ１００は、原稿９０の後端が第２のレジストセンサ８を通過してから（Ｌ３＋Ｄ−ｋ）／ｖ時間後、つまり印字情報の先頭の文字（例えば、『○×△Ｂａｎｋ』における『○』の文字）の印字されるべき位置が印字ヘッド７（の印字位置）に到達したときに印字の終了がわかるので、印字終了後に原稿９０の搬送を停止させ、原稿９０を再度正方向に搬送する（ステップＳ３０６）。
【００４０】
次に、原稿９０の先端が第２のレジストセンサ８を通過したタイミングに基づいて、読取センサ９が原稿９０の画像読み取りを開始し、読取センサ９から出力された画像読取信号を画像情報読取部１０４が受信することにより画像読み取りを行う（ステップＳ３０８）。
【００４１】
上記実施の形態によれば、ＣＰＵ１００が、印字開始時間になる前に印字情報生成部１０２が印字情報を生成できたときは、原稿９０の搬送を停止することなくそのまま順送して印字開始位置から印字を開始する。一方、既に印字開始時間を経過していたときは、ＣＰＵ１００は原稿９０の搬送を停止し、原稿９０を逆送させて印字情報を印字すべく、印刷開始時間を算出すると共に印字情報を左右反転させて、印字する。これにより、磁気ヘッド６と印字ヘッド７との間に原稿９０を留めておくための区間を設けることなく、また、一旦原稿９０を反対方向に搬送させたとしても、原稿の先端を印字開始タイミングが算出できる位置まで搬送する必要が無いので、画像読取装置の小型化を図ることができると共に、原稿１枚あたりの処理速度を速くすることが可能となる。
【００４２】
本実施の形態では、原稿に付随する付随情報をＭＩＣＲ情報としたが、磁気ストライプ等に記憶された磁気情報やバーコード等の光学的情報であってもよい。
【００４３】
本発明の画像読取装置は、単独で読取データの記憶までの機能を含むものであってもよい。また、画像読取装置とそれに接続されたＰＣ等のホスト装置とのシステムとして画像読取装置が構成されているものでもよく、ホスト装置が制御部、ＭＩＣＲ情報読取部、印字情報生成部、印字部、及び画像情報読取部の機能の一部又は全部をハードウエア又はソフトウェアで構成していてもよい。
【００４４】
以上、本発明の好ましい実施の形態について説明したが、本発明の構成は、これらの実施の形態の構成に限定されるものではなく、本発明の精神を逸脱するものでなければ、上記実施の形態の構成を変形又は変更したものは、本発明に含まれる。
【００４５】
また、本発明の目的は、上述した実施の形態の機能を実現するソフトウェアのプログラムコードを記憶した記憶媒体を、システム或いは装置に供給することによっても達成される。その場合、そのシステム或いは装置のコンピュータ（またはＣＰＵやＭＰＵ等）が記憶媒体に格納されたプログラムコードを読み出して実行する。該記憶媒体から読み出されたプログラムコード自体が上述した実施の形態の機能を実現することになり、そのプログラムコード及び該プログラムコードを記憶した記憶媒体は本発明を構成することになる。
【００４６】
また、プログラムコードを供給するための記憶媒体としては、例えば、フロッピー（登録商標）ディスク、ハードディスク、光磁気ディスク等を用いることができる。また、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ等の光ディスク、磁気テープ、不揮発性のメモリカード、ＲＯＭ等を用いることができる。また、プログラムコードをネットワークを介してダウンロードしてもよい。
【００４７】
コンピュータが読み出したプログラムコードを実行することにより、上述した実施の形態の機能が実現されるだけではない。すなわち、プログラムコードの指示に基づき、コンピュータ上で稼動しているＯＳ（オペレーティングシステム）等が実際の処理の一部又は全部を行い、その処理によって上述した実施の形態の機能が実現される場合も含まれる。
【００４８】
更に、記憶媒体から読み出されたプログラムコードが、コンピュータに挿入された機能拡張ボードやコンピュータに接続された機能拡張ユニットに備わるメモリに書き込まれる。そして、そのプログラムコードの指示に基づき、その機能拡張ボードや機能拡張ユニットに備わるＣＰＵ等が実際の処理の一部又は全部を行い、その処理によって上述した実施の形態の機能が実現される場合も含まれる。
【００４９】
また、コンピュータが読み出したプログラムコードを実行することにより、上述した各実施の形態の機能が実現されるだけではない。すなわち、プログラムコードの指示に基づき、コンピュータ上で稼働しているＯＳなどが実際の処理の一部又は全部を行い、その処理によって上述した各実施の形態の機能が実現される場合も、本発明に含まれることは云うまでもない。
【００５０】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００５１】
【図１】本発明の実施の形態に係る画像読取装置の外観を示す斜視図である。
【図２】図１の画像読取装置１の概略構成を示す図である。
【図３】画像読取装置１における制御系の概略構成を示すブロック図である。
【図４】画像読取装置１における画像読取及び印字動作の流れを示すフローチャートである。
【図５】画像読取及び印字動作時の状態を示す図であり、（ａ）は第１のレジストセンサが原稿の先端を検出したとき、（ｂ）は原稿が磁気ヘッドの読取開始位置まで到達したときを示す。
【図６】画像読取及び印字動作時の状態を示す図であり、（ａ）は第１のレジストセンサが原稿の先端を検出したとき、（ｂ）は原稿が印字ヘッドの印字開始位置まで到達したときを示す。
【図７】画像読取及び印字動作時の状態を示す図であり、（ａ）は第２のレジストセンサに原稿の後端が停止したとき、（ｂ）は図７（ａ）の状態から（Ｌ３＋Ｄ−ｋ−ΔＩ）／ｖ時間経過したときを示す図である。
【図８】原稿に印刷される印字情報の外観を示す図であり、（ａ）は原稿を正方向に搬送しながら印字した印字情報を示し、（ｂ）は原稿を逆方向に搬送しながら印字した印字情報を示す。
【図９】原稿の一例である小切手の外観を示す図であり、（ａ）は表面、（ｂ）は裏面を示す。
【図１０】従来の画像読取装置における磁気ヘッドと印字ヘッドの位置関係の一例を示す図であり、（ａ）は磁気ヘッドと印字ヘッドとの間の距離が小切手１枚分の長さ以上離れている場合、（ｂ）は磁気ヘッドと印字ヘッドとの間の距離が短い場合を示す。
【図１１】従来の画像読取装置における磁気ヘッドと印字ヘッドの位置関係の一例を示す図であり、（ａ）は磁気ヘッドの手前にレジストセンサを１つ配置した場合、（ｂ）は磁気ヘッドと印字ヘッドとの間にレジストセンサを追加配置した場合を示す。
【符号の説明】
【００５２】
１  画像読取装置
２  原稿載置部
３  搬送路
４  搬送ローラ対
５  第１のレジストセンサ
６  磁気ヘッド
７  印字ヘッド
８  第２のレジストセンサ
９  読取センサ
９０  原稿
９１  ＭＩＣＲ文字列
１００  ＣＰＵ
１０１  ＭＩＣＲ情報読取部
１０２  印字情報生成部
１０３  印字部
１０４  画像情報読取部
【図１】
2007265181.tif 000003
【図２】
2007265181.tif 000004
【図３】
2007265181.tif 000005
【図４】
2007265181.tif 000006
【図５】
2007265181.tif 000007
【図６】
2007265181.tif 000008
【図７】
2007265181.tif 000009
【図８】
2007265181.tif 000010
【図９】
2007265181.tif 000011
【図１０】
2007265181.tif 000012
【図１１】
2007265181.tif 000013